(57)【特許請求の範囲】
【請求項１】
一端に取手が取り付けられているとともに他端に石突きを介して上ろくろが取り付けられている中棒に下ろくろがスライド可能に装着されており、前記上ろくろの周囲に複数の親骨が開閉可能にそれらの基端において周方向間隔を有して軸支され、前記各親骨と前記下ろくろとの間に副骨が両端を軸支して配置されて形成され、前記複数の親骨にわたって傘布が前記親骨の先部に固着した露先を介して張設しており、前記親骨における前記副骨の軸支位置の先端方向の隣接した位置に、常時は先端部と基端部に分断された状態の親骨を直線状に保持して親骨を開いた使用状態において前記傘布に内側方向から所定圧以上の風圧を受けたときに親骨の先端部を直線状のままで外側に反転可能とした外側方向反転ヒンジを備えた風圧により損傷しない傘において、前記外側方向反転ヒンジが、傘を開いた状態の内側にかかる風圧が親骨および傘布による傘布を張設するテンション以下では直線状態を保持し、前記親骨および傘布への内側にかかる風圧が前記傘布を張設するテンションを超えたときに前記直線状の保持状態が解除されて親骨の先端部を直線状のままで且つフリーな状態で外側に反転可能とした係脱機構を有していることを特徴とする風圧により損傷しない傘。
【請求項２】
前記外側方向反転ヒンジが、外側に反転している状態で一度前記傘を閉じて再度開くことにより親骨と傘布のテンションにより再び元の保持状態に復帰して親骨を直線状に保持することを特徴とする請求項１記載の風圧により損傷しない傘。
【発明の詳細な説明】
【技術分野】
【０００１】
本発明は、使用時において風圧により損傷しない傘に関するものである。
【背景技術】
【０００２】
近頃、異常気象の影響で、一度に多量の降雨が来襲することが頻繁にあり、このような状況においては急激に気圧配置が変化することから台風などと同様に強風が伴うことが多い。そして、このような台風や強風時に傘をさすと、傘は傘布が大きな風圧を受けることになり、大きな風圧で使用者が転倒したり、傘が飛翔したりして身体に損傷を受けることになる。また、従来の傘は内側から風圧を受けるといわゆるロート状に反転し、外側から受けると内側に向けて湾曲変形してしまうという事態が生じる。
【０００３】
特に、近頃は低価格商品の需要が多く、親骨の材質も十分なものでなく少し強い風が吹くと容易に親骨が折曲、反転するケースが増えており、その際に長尺な親骨が大きく反転して周囲の人を傷つけたりするなど危険であり、特に、親骨は金属製にあっては断面がＵ形に屈曲形成されて強度を保っていることからいったん折曲してしまうと元に戻すことは困難であり、廃棄処分されることになり、更にごみ箱、廃棄場所の負担など経済的にも問題があり、合成樹脂製の親骨についても強度の限界を超えると副骨や、親骨と副骨の連結部分が折損してしまう。
【０００４】
また、風圧を受ける傘布は親骨の先端に付設した露先により固定されているが従来の廉価な傘では露先は縫いつけることなく単に差し込んだものが多く、傘布が反転したときに露先と一体の傘布が反転した親骨から分離するという事態が生じ、そのため親骨の尖った先端が露出するというきわめて危険な事態も想定される。
【０００５】
そこで、例えば、傘布に当たった風を外側へ通過させる手段を設けた傘が例えば特開２０１０−１２４８８３号公報などに提示されているが、これらの公報に提示されている風を通過させる手段を有する傘は構造が複雑となり、廉価な構成の傘には適用できない。
【０００６】
また、例えば特開２０１１−８７８８７号公報には切断した親骨を連結するとともに連結部をばねの付勢力により直線状に保持させた傘が提示されているが、傘は開いたときに親骨のテンションと親骨に張設された傘布のテンションにより開いた状態を維持しているのであるが、この傘は強風時にばねの付勢力により風圧を緩衝するものであり、コイルバネが弱ければ親骨を連結した状態に維持できず、強ければ風圧を必要以上に強く受けるという矛盾が生じ実用的でない。特に、ばねが強い場合、傘に対し設定を超えた風圧とその反動が作用するので、使用者にとってもきわめて危険な事態が生じることなる。
【０００７】
このことは前記公報に提示されている構造と類似の構造を有している従来の折り畳み傘の中には開いたときに連結部に前記親骨と傘布により生じるテンションを超える延伸力を付与したものがあり、この場合は大きな風圧が作用したときには突然延伸力を超え連結部が屈曲し、破損してしまうことにもなる。
【０００８】
また、折り畳み傘の中には、折り畳むために親骨が所定の位置で少なくとも一箇所以上折れる構造となっているが、その位置は、親骨の副骨との連結位置よりも先端方向に位置しているため、減圧効果が十分でなく、親骨と副骨との連結部の損傷を免れることが出来なかった。
【０００９】
一方、強風により反転するのであれば、反転を逆手にとって予め強風があったときには親骨を反転させて親骨の損傷を防ぐという手段を有する傘が例えば実開平６−１３２号公報、実用新案登録第３１３２５９６号公報に提示されている。
【００１０】
しかしながら、この公報に提示されている強風により反転して損傷を防ぐ傘は、親骨の基端部を基軸として反転するものであり、反転時に親骨が大きく反転するので周囲への危険性が高まり、また、大きな反動が手に伝わり把持し続けることができずに離してしまい、飛翔する傘により周りの人を傷つけてしまうという安全上の問題を解決することができない。
【００１１】
また、前記公知の反転する傘は、内側から風が吹き込む場合に有効になるような構成であるが、外側からの強風には対処できず、親骨が内側方向に屈曲してしまうという問題もある。
【先行技術文献】
【特許文献】
【００１２】
【特許文献１】特開２０１０−１２４８８３号公報
【特許文献２】特開２０１１−８７８８７号公報
【特許文献３】実開平６−１３２号公報
【特許文献４】実用新案登録第３１３２５９６号公報
【発明の概要】
【発明が解決しようとする課題】
【００１３】
本発明は、前記従来の風圧により損傷しない傘が有する問題点を解決して、複雑な構成とせずに操作も簡単で廉価に提供することは勿論のこと、風圧が傘布の内側方向はいうまでもなく外側方向から掛かった場合にも対応が可能な耐久性に優れた風圧により損傷しない安全な傘を提供すること、殊に傘を開いた状態の親骨および傘布に傘布を張設するテンションを超えた風圧が作用したときに過剰な耐圧を発揮させずにその時点で親骨を反転させて前記傘の親骨の損傷を防ぐことにより過剰な耐圧に伴って生じる人体への損傷や傘自体の破損を防ぐ安全な傘を提供することを課題とする。
【課題を解決するための手段】
【００１４】
前記課題を解決するためになされた本発明は、一端に取手が取り付けられているとともに他端に石突きを介して上ろくろが取り付けられている中棒に下ろくろがスライド可能に装着されており、前記上ろくろの周囲に複数の親骨が開閉可能にそれらの基端において周方向間隔を有して軸支され、前記各親骨と前記下ろくろとの間に副骨が両端を軸支して配置されて形成され、前記複数の親骨にわたって傘布が前記親骨の先部に固着した露先を介して張設しており、前記親骨における前記副骨の軸支位置の先端方向の隣接した位置に、常時は先端部と基端部に分断された状態の親骨を直線状に保持して親骨を開いた使用状態において前記傘布に内側方向から所定圧以上の風圧を受けたときに親骨の先端部を直線状のままで外側に反転可能とした外側方向反転ヒンジを備えた風圧により損傷しない傘において、前記外側方向反転ヒンジが、傘を開いた状態の内側にかかる風圧が親骨および傘布による傘布を張設するテンション以下では直線状態を保持し、前記親骨および傘布への内側にかかる風圧が前記傘布を張設するテンションを超えたときに前記直線状の保持状態が解除されて親骨の先端部を直線状のままで且つフリーな状態で外側に反転可能とした係脱機構を有していることを特徴とする。
【００１５】
また、前記外側方向反転ヒンジが、外側に反転している状態で一度前記傘を閉じて再度開くことにより親骨と傘布のテンションにより再び元の保持状態に復帰して親骨を直線状に保持する。
【発明の効果】
【００１６】
本発明によれば、複雑な構成とせずに操作も簡単で廉価に提供が可能なことは勿論のこと、耐久性に優れた風圧により損傷しない安全な傘を提供することができる。殊に、本発明は傘を開いた際、親骨および傘布による傘布を張設するテンションを超えた風圧が内側から外側反転ヒンジに加わったとき、または先端部と基端部に分断された状態の親骨を直線状に保持する保持力を超えた風圧が加わったときに過剰な耐圧を発揮させずにその時点で親骨の先端部を外側方向に反転させて傘の損傷を防ぎ、併せて、外側方向反転ヒンジでは外側方向に掛かった過剰な耐圧に伴って生じる人体への衝撃も防止した安全な傘を提供するとともに、一旦反転した親骨については、一度前記傘を閉じて再度開くことにより親骨と傘布のテンションにより再び元の状態に容易に復帰し、さらに収納時は係止部により親骨を本来の直線状に保持することを可能とした。
【図面の簡単な説明】
【００１７】
【図１】本発明の好ましい実施の形態を示す概略説明図。
【図２】図１に示した実施の形態のヒンジ部分の作用を示す説明図。
【図３】本発明における外側方向反転ヒンジの好ましい実施の形態を示す説明図。
【図４】本発明における外側方向反転ヒンジの異なる実施の形態を示す説明図。
【図５】本発明における外側方向反転ヒンジの異なる実施の形態を示す説明図。
【図６】本発明における外側方向反転ヒンジの異なる実施の形態を示す説明図。
【発明を実施するための形態】
【００１８】
以下に、本発明の好ましい実施の形態について詳細に説明する。
【００１９】
図１は本発明の好ましい実施の形態を示すものであり、基本的には、一端に取手１が取り付けられているとともに他端に石突き２を介して上ろくろ３が取り付けられている中棒４に下ろくろ５がスライド可能に装着されており、複数の親骨６が上ろくろ３の周囲に開閉可能にそれらの基端において周方向間隔を有して軸支され、各親骨６と下ろくろ５との間に副骨７が両端を軸支して配置されて形成され、前記複数の親骨６にわたって傘布８が露先６０１を介して張設された傘である。
【００２０】
そして、本実施の形態では、親骨６が副骨７の軸支位置よりも先端側の所定位置に、常時は先端部６１と基端部６２とに分断した親骨６を直線状に保持して傘を開いた使用状態において傘布８に内側方向から所定圧以上の風圧を受けたときに図２に示すように親骨６の先端部６１を外側に反転可能とした外側方向反転ヒンジ９が親骨６の軸線方向に並設されている。
【００２１】
そして、例えば本発明に係る外側方向反転ヒンジ９を用いて、親骨６と副骨７を接合している場合には、傘布８に内側方向から所定圧以上の風圧を受けたとき副骨７と親骨６との接合が損傷する前に外側方向反転ヒンジ９が外側へ折れ曲がり、傘布８にかかる風圧を逃がすことができる構成とした。
【００２２】
図３は本発明において用いられる外側方向反転ヒンジ９の好ましい実施の形態を示すものであり、弾性を有する素材により形成された筒状で反転方向に少なくとも直径よりも幅狭の差し込み溝条９１が形成された断面が平行する直線の両先端を開口した鍵穴状の基部９２と基部９２に軸着されて基部９２に形成された前記差し込み溝条９１を所定の押圧力により通過可能な径を有する円柱状の反転部材９３とから形成され、基部９２の基端９５および反転部材９３の基端９６に分断された親骨６の基端部６２および先端部６１をそれぞれ差し込み固定するものであり製造もきわめて容易である。
【００２３】
本実施の形態では、基部９２に形成した差し込み溝条９１と反転部材９３が係脱機構１０を構成するものであり、通常は図３（ａ）および（ｃ）に示すように、反転部材９３が差し込み溝条９１軸線方向に嵌挿して係脱機構１０係止状態にあって両者を直線状に保持し、前記反転部材９３に外側方向の押圧力が掛かると図３（ｂ）に示すように前記反転部材９３が軸支部９４を中心として差し込み溝条９１を超えて係脱機構１０が解除されて反転部材９３が回転する構成であり、本実施の形態では図１に示したように傘が開かれている状態においては、前記外側方向反転ヒンジ９は反転部材９３が半筒状の基部に嵌合状態で保持されて係脱機構１０が係止状態にあり親骨６は略直線状態を維持して、通常の傘と同様に使用することができ、図２に示したように傘布８に内側から風圧が作用した場合には、親骨６は前記外側方向反転ヒンジ９の作用により反転部材９３が前記差し込み溝条９１を超えて外側に反転することにより、係脱機構１０が解除されて外側に折れ曲がり傘布８への風圧が減少して親骨６または傘布８の損傷を防ぐことができるものである。
【００２４】
このように、親骨６の所定の位置に外側方向反転ヒンジ９は傘布８に掛かるテンションを超えると親骨６が風圧に対して無理に耐えることなく反転するので傘を保持している人に過大な負荷がかかる心配がなく手が引かれたり転倒することもなく傘自体も飛ばされたりせず、きわめて安全である。
【００２５】
特に、本実施の形態では前記係脱機構１０の係止の度合い、即ち、基部９２の弾性、基部９２に形成した差し込み溝条９１の幅や壁の高さ、更には基部９２ならびに反転部材９３の径などにより反転部材９３の抵抗力、即ち、親骨６の先端部６１と基端部６２を直線上に保持する力を適度に調整することができるが、本実施の形態では、傘を開いた際、親骨６および傘布８による傘布８を張設するテンションを前記係脱機構１０の係止の度合いに設定してあり、これを超えた風圧が内側から外側方向反転ヒンジ９に加わったとき、過剰な耐圧を発揮させずにその時点で親骨の先端部を外側方向に反転させて傘の損傷を防ぎ、併せて、外側方向反転ヒンジ９に掛かった過剰な耐圧に伴って生じる人体への衝撃も防止した安全な傘を提供するとともに、一旦反転した親骨６については、一度前記傘を閉じて再度開くことにより親骨６と傘布８のテンションにより係脱機構１０が再び元の係止状態に容易に復帰し、さらに収納時は係止部により親骨を本来の直線状に保持することを可能としている。
【００２６】
更に、図４は本発明において用いられる外側方向反転ヒンジ９の異なる実施の形態を示すものであり、適宜の弾性を有する硬質合成樹脂材により形成され基端９６に親骨６の基端部６２を差込み固定するとともに上面に差し込み溝条９１が形成された断面が頂面開口のＵ字形を呈する基部９２と基部９２に軸支部９４により軸着されて基部９２に形成された前記差し込み溝条９１を通過可能で基端９５に親骨６の先端部６１を挿入固着した柱状の反転部材９３とから形成されたものであり、特に、本実施の形態では前記基部９２に形成された差し込み溝条９１を介して互いに対向する内側面の所定位置に一対の係止突起９２１，９２１が突設されているとともに前記反転部材９３の両側面の前記係止突起９２１と重なる位置に前記反転部材９３が倒されて前記基部９２の差し込み溝条９１に挿入され、親骨６の基端部６１および反転部材９３方向の親骨６の基端部６２と先端部６１とを同軸とする場合に前記基部９２の差し込み溝条９１に突設した係止突起９２１，９２１を乗り越えて相互に係止する係止突起９３１，９３１が反転部材９３の両側面に突設されて、前記係止突起９２１，９２１と係止突起９３１，９３１が係脱機構１０を構成している。
【００２７】
従って、通常は図４（ａ）に示すように親骨６の基端部６２と先端部６１とを同軸として係脱機構１０が係止して使用状態を形成し、例えば内側から前記係脱機構１０の係止度合いを超えた風圧が作用した際に、係止突起９３１が係止突起９２１を乗り越えて係止状態が解除されて反転部材９３が反転して風圧を逃がすことで親骨６が損傷するのを防ぐものである。
【００２８】
特に、本実施の形態では、前記係止突起９２１と係止突起９３１との係止度合いは傘を開いたときの親骨６と前記傘布８のテンション近傍に設定することにより前記テンションを超えた風圧が傘の内側から作用すると係止突起９２１と係止突起９３１との係合が解除される構造とした。
【００２９】
従って、従来の例えば折り畳み傘のように折れ曲がり部の延伸強度を開いたときの親骨６と傘布８により形成されるテンション以上に強固な風圧に対抗する構造にすると設定値を超えたときに折れ曲がり部が急激に折れて損傷し再生困難になるが、本実施の形態では傘自身が有しているテンションを超えると直ちに反転部材９３が反転して風圧を逃がすので親骨６に過度の負担を強いることなく傘が再生不能に損傷することもない。
【００３０】
また、外側方向反転ヒンジ９は前述のように前記係止突起９２１と係止突起９３１との係止度合いは傘を開いたときの親骨６と前記傘布８のテンションと同等かより低くに設定されることにより図４（ｂ）に示すように一旦反転した反転部材９３は再び傘を開くだけで、図４（ａ）に示す状態に簡単に再係合がなされ、傘収納後も親骨６は本来の位置に保持される。再使用に際してもいつも通りに傘を開くだけでよく、きわめて便利である。
【００３１】
尚、このテンションと反転部材９３の反転するための風圧の関係は本発明における別の実施の形態についても同様である。
【００３２】
図５は本発明における外側方向反転ヒンジ９の異なる実施の形態を示すものであり、前記外側方向反転ヒンジ９は、それぞれ適宜の弾性を有する硬質合成樹脂製で親骨６の装着口１１を形成した有底の一対の筒体１２，１３を連結体１４により連結して形成され、一方の筒体１２の底面に形成された係止孔１２１にもう一方の筒体１３の底面に形成された段付き突起１２２を挿脱可能に連結されており、前記係止孔１２１と段付き突起１２２により係脱機構１０を形成している。
【００３３】
そして、通常の使用状態では図５（ｂ）に示すように、前記一方の筒体１３の段付き突起１２２をもう一方の筒体１２の係止孔１２１に嵌めて係脱機構１０を係止状態として両筒体１２，１３を直線状として装着口１１，１１に装着した親骨６の先端部６１と基端部６２を略直線状に保持して通常の使用状態とし、例えば内側から所定圧以上の風圧が作用した場合には両筒体１２，１３の段付き突起１２２が係止孔１２１から抜けて係脱機構１０が解除されて連結体１４を中心として一対の筒体１２，１３が折れ曲がることにより、親骨６の損傷が防止される。
【００３４】
また、折れ曲がった状態から、再び、筒体１３の段付き突起１２２をもう一方の筒体１２の係止孔１２１に嵌めることにより、係脱機構１０が係止状態に復帰して親骨６は元の略直線上に復帰する。
【００３５】
本実施の形態で示した、外側方向反転ヒンジ９および内側方向反転ヒンジ１０は、きわめて簡単な構成で、且つ、一体的な成形も可能で多量生産により廉価に提供することが可能であり、耐久性にも優れている。
【００３６】
加えて、図６は前記図５に示した実施の形態についての外側方向反転ヒンジ９と同素材により親骨６の先端部６１と基端部６２と一体に成形したものであり、本実施の形態によると傘の親骨６が一体的に成形できるので組み立て作業が不要であり、生産性、強度や耐久性でも有利である。
【符号の説明】
【００３７】
１  取手、２  石突き、３  上ろくろ、４  中棒、５  下ろくろ、６  親骨、６１  先端部、６２  基端部、６０１  露先、７  副骨、８  傘布、９  外側方向反転ヒンジ、９１  差し込み溝条、９２  基部、９２１  係止突起、９３  反転部材、９３１  係止突起
【図１】
0005828963.tif 000002
【図２】
0005828963.tif 000003
【図３】
0005828963.tif 000004
【図４】
0005828963.tif 000005
【図５】
0005828963.tif 000006
【図６】
0005828963.tif 000007